(57)【特許請求の範囲】
【請求項１】
縦溝からなるシート状媒体の搬送路を左右の分岐通路に分岐させている分岐部と、
前記分岐通路の分岐位置に送り込まれる前記シート状媒体を一方の前記分岐通路に振り分けるための分岐切換レバーとを有し、
前記分岐部は、前記分岐位置を頂点として左右の分岐方向に広がっている左右の分岐部側ガイド面と、これら分岐部側ガイド面の上端縁を繋ぐ分岐部上面とを備えており、
前記分岐切換レバーは、分岐方向に向けて左右に広がっている左右のレバー側ガイド面と、これらの上端縁を繋ぐレバー上面とを備えており、
前記分岐部上面は、前記レバー上面から左右の分岐方向に向けて上方に傾斜していると共に、各分岐方向に直交する方向においても左右の前記分岐部側ガイド面の上端縁から上方に傾斜していることを特徴とするシート状媒体処理装置の分岐部構造。
【請求項２】
請求項１に記載のシート状媒体処理装置の分岐部構造において、
前記分岐部上面の各分岐方向に直交する方向の断面形状は凸円弧形状となっていることを特徴とするシート状媒体処理装置の分岐部構造。
【請求項３】
請求項１または２に記載のシート状媒体処理装置の分岐部構造において、
前記分岐部上面には鏡面加工が施されていることを特徴とするシート状媒体処理装置の分岐部構造。
【請求項４】
請求項１ないし３のうちのいずれかの項に記載のシート状媒体処理装置の分岐部構造において、
前記分岐部の左右の分岐部側ガイド面は９０度未満の角度で広がっていることを特徴とするシート状媒体処理装置の分岐部構造。
【請求項５】
請求項１ないし４のうちのいずれかの項に記載のシート状媒体処理装置の分岐部構造において、
前記左右のレバー側ガイド面を分岐方向に延長した延長面に対して、前記左右の分岐部側ガイド面は内側に後退した位置にあることを特徴とするシート状媒体処理装置の分岐部構造。
【請求項６】
縦溝からなるシート状媒体の搬送路を左右の分岐通路に分岐させている分岐部と、
前記分岐通路の分岐位置に送り込まれる前記シート状媒体を一方の前記分岐通路に振り分けるための分岐切換レバーとを有し、
前記分岐部は、前記分岐位置を頂点として左右の分岐方向に広がっている左右の分岐部側ガイド面と、これら分岐部側ガイド面の上端縁を繋ぐ分岐部上面とを備えており、
前記分岐切換レバーは、分岐方向に向けて左右に広がっている左右のレバー側ガイド面と、これらの上端縁を繋ぐレバー上面とを備えており、
前記レバー上面は、左右の分岐方向に向けて上方に傾斜していると共に、各分岐方向に直交する方向においても左右の前記レバー側ガイド面の上端縁から上方に傾斜しており、
前記左右のレバー側ガイド面を分岐方向に延長した延長面に対して、前記左右の分岐部側ガイド面は内側に後退した位置にあり、
前記レバー上面を分岐方向に延長した延長面に対して、前記分岐部上面の分岐切換レバー側の端縁部分は下側に後退した位置にあることを特徴とするシート状媒体処理装置の分岐部構造。
【請求項７】
請求項１ないし６のうちのいずれかの項に記載されている分岐部構造を備えているシート状媒体処理装置。
【発明の詳細な説明】
【技術分野】
【０００１】
本発明は、搬送路を搬送されてくるシート状媒体を複数の分岐通路のいずれか一つに振り分ける構成を備えたシート状媒体処理装置に関する。より詳細には、シート状媒体をジャミング状態に陥らせることなく各分岐通路に振り分けることができるシート状媒体処理装置の分岐部構造、およびそのような分岐部構造を備えたシート状媒体処理装置に関する。
【背景技術】
【０００２】
店舗や銀行などの金融機関などでは、顧客から持ち込まれた小切手などの有価証券類を小切手処理装置に掛けて、それらの表面画像および磁気インク文字を読み取っている。また、読み取った画像データ、磁気インク文字をコンピュータ処理して決済処理を行なっている。持ち込まれた小切手の中には決済処理に必要な磁気インク文字を読み取ることができないものが含まれている場合がある。そこで、小切手処理装置はその読み取り結果に応じて小切手を異なる収納部に振り分けて収納している。
【０００３】
このような小切手処理装置では、小切手は細い縦溝によって規定されている搬送路を立てられた状態で搬送されながら処理されている。搬送路の下流側は分岐部によって左右の分岐通路に分岐させられており、各分岐通路の下流端にそれぞれ収納部が形成されている。分岐通路の分岐位置には、そこに搬送されてくる小切手をいずれか一方の分岐通路に振り分ける分岐切換レバーが配置されている。特許文献１には、このような小切手処理装置が開示されている。
【特許文献１】特開２００４−２０６３６２号公報
【発明の開示】
【発明が解決しようとする課題】
【０００４】
市場に流通している小切手の幅寸法は６０ｍｍ〜１２５ｍｍと多様である。幅広の小切手が小切手処理装置に掛けられた場合には、小切手の上側部分が搬送路から上方に突出するとともに、この突出量が多くなる。この結果、小切手の上側が横に撓んだ状態で搬送されることがある。また、全体が皺になり腰がなくなっている状態の小切手が小切手処理装置に掛けられた場合には、紙幅が必ずしも広いものでなく搬送路から上方への突出量が少なくても上側が横に撓んでしまうものもある。このような状態の小切手が分岐位置に送り込まれると、横になっている部分が分岐部に衝突して、小切手がジャミング状態に陥ってしまうという問題がある。
【０００５】
また、小切手の端部が折れ曲がっている場合にも、この折れ曲がり部分が分岐部に衝突してしまうので、小切手がジャミング状態に陥ってしまうという問題がある。
【０００６】
本発明の課題は、このような点に鑑みて、シート状媒体を分岐部に衝突させることなく分岐通路に進入させることができるシート状媒体処理装置の分岐部構造を提案することにある。また、このような分岐部構造を備えたシート状媒体処理装置を提案することにある。
【課題を解決するための手段】
【０００７】
上記の課題を解決するために、本発明のシート状媒体処理装置の分岐部構造は、
縦溝からなるシート状媒体の搬送路を左右の分岐通路に分岐させている分岐部と、
前記分岐通路の分岐位置に送り込まれる前記シート状媒体を一方の前記分岐通路に振り分けるための分岐切換レバーとを有し、
前記分岐部は、前記分岐位置を頂点として左右の分岐方向に広がっている左右の分岐部側ガイド面と、これら分岐部側ガイド面の上端縁を繋ぐ分岐部上面とを備えており、
前記分岐切換レバーは、分岐方向に向けて左右に広がっている左右のレバー側ガイド面と、これらの上端縁を繋ぐレバー上面とを備えており、
前記分岐部上面は、前記レバー上面から左右の分岐方向に向けて上方に傾斜していると共に、各分岐方向に直交する方向においても左右の前記分岐部側ガイド面の上端縁から上方に傾斜していることを特徴とする。
【０００８】
本発明によれば、分岐部は分岐切換レバーの上方に３次元的な傾斜面からなる分岐部上面を備えている。従って、分岐通路に進入しようとするシート状媒体の上側が横に撓んでいても、この撓んでいる部分は分岐部上面に沿って分岐部を乗り越えるように上方に案内される。この結果、分岐通路への進入時にシート状媒体が分岐部の端面に衝突することを回避できるので、シート状媒体をジャミング状態に陥らせることなく分岐通路に進入させることができる。
【０００９】
本発明において、シート状媒体の撓んでいる部分を分岐方向と直交する方向の上方に案内するためには、前記分岐部上面の各分岐方向に直交する方向の断面形状は凸円弧形状となっていることが望ましい。
【００１０】
本発明において、撓んでいる部分をスムーズに案内するためには、前記分岐部上面には鏡面加工が施されていることが望ましい。また、前記分岐部の左右の分岐部側ガイド面は９０度未満の角度で広がっていることが望ましい。
【００１１】
本発明において、レバー側ガイド面によって分岐通路に案内されたシート状媒体が分岐部の分岐側ガイド面に衝突しないようにするためには、前記左右のレバー側ガイド面を分岐方向に延長した延長面に対して、前記左右の分岐部側ガイド面は内側に後退した位置にあることが望ましい。
【００１２】
次に、本発明の異なる形態のシート状媒体処理装置の分岐部構造は、
縦溝からなるシート状媒体の搬送路を左右の分岐通路に分岐させている分岐部と、
前記分岐通路の分岐位置に送り込まれる前記シート状媒体を一方の前記分岐通路に振り分けるための分岐切換レバーとを有し、
前記分岐部は、前記分岐位置を頂点として左右の分岐方向に広がっている左右の分岐部側ガイド面と、これら分岐部側ガイド面の上端縁を繋ぐ分岐部上面とを備えており、
前記分岐切換レバーは、分岐方向に向けて左右に広がっている左右のレバー側ガイド面と、これらの上端縁を繋ぐレバー上面とを備えており、
前記レバー上面は、左右の分岐方向に向けて上方に傾斜していると共に、各分岐方向に直交する方向においても左右の前記レバー側ガイド面の上端縁から上方に傾斜しており、
前記左右のレバー側ガイド面を分岐方向に延長した延長面に対して、前記左右の分岐部側ガイド面は内側に後退した位置にあり、
前記レバー上面を分岐方向に延長した延長面に対して、前記分岐部上面の分岐切換レバー側の端縁部分は下側に後退した位置にあることを特徴とする。
【００１３】
本発明によれば、分岐切換レバーは３次元的な傾斜面からなるレバー上面を備えている。また、分岐部の左右の分岐部側ガイド面および分岐部上面の縁部分は、いずれもレバー側ガイド面およびレバー上面よりも後退した位置にある。従って、分岐通路に進入しようとするシート状媒体の上側が横に撓んでいても、この撓んでいる部分はレバー上面に沿って分岐部を乗り越えるように上方に案内される。この結果、分岐通路への進入時にシート状媒体が分岐部の端面に衝突することを回避できるので、シート状媒体をジャミング状態に陥らせることなく分岐通路に進入させることができる。
【００１４】
次に、本発明は上記の分岐部構造を備えたシート状媒体処理装置とすることができる。
【発明の効果】
【００１５】
本発明のシート状媒体処理装置の分岐部構造によれば、分岐通路に進入しようとするシート状媒体の上側が横に撓んでいても、この撓んでいる部分は分岐部上面に沿って分岐部を乗り越えるように上方に案内される。この結果、分岐通路への進入時にシート状媒体が分岐部の端面に衝突することを回避できるので、シート状媒体をジャミング状態に陥らせることなく分岐通路に進入させることができる。
【００１６】
また、本発明の異なる形態の分岐部構造によれば、分岐切換レバーは３次元的な傾斜面からなるレバー上面を備えている。また、分岐部の左右の分岐部側ガイド面および分岐部上面の縁部分は、いずれもレバー側ガイド面およびレバー上面よりも後退した位置にある。従って、分岐通路に進入しようとするシート状媒体の上側が横に撓んでいても、この撓んでいる部分はレバー上面に沿って分岐部を乗り越えるように上方に案内される。この結果、分岐通路への進入時にシート状媒体が分岐部の端面に衝突することを回避できるので、シート状媒体をジャミング状態に陥らせることなく分岐通路に進入させることができる。
【発明を実施するための最良の形態】
【００１７】
以下に、図面を参照して、本発明の分岐部構造を採用した小切手処理装置の実施の形態を説明する。
【００１８】
（全体構成）
図１（ａ）および（ｂ）は本実施の形態に係る小切手処理装置を示す斜視図および平面図である。小切手処理装置１は、装置本体側の本体ケース２と、本体ケース２の先端部に取り付けた垂直軸３を中心として左右に開閉可能な開閉カバー４、５とを備えている。本体ケース２と開閉カバー４、５の間には、小切手６を搬送するための小切手搬送路７が形成されている。小切手搬送路７は、上から見た場合に略Ｕ字状に湾曲して延びている細幅の垂直溝によって規定されている。小切手搬送路７の小切手搬送方向の上流端は、細幅の垂直溝からなる小切手送り出し通路８を介して広幅の垂直溝からなる小切手供給部９に繋がっている。小切手搬送路７の下流端は小切手収納部１０に繋がっている。小切手収納部１０は、小切手搬送路７の下流端に繋がっている細幅の垂直溝からなる第１および第２分岐通路１１、１２と、これらの下流端に繋がっている第１収納ポケット１３および第２収納ポケット１４とを備えている。
【００１９】
小切手６は、図１に示すように、その表面６ａの下端部分に、その長辺方向に磁気インク文字列６Ａが印刷されている。また、表面６ａには、所定の模様の背景に、金額、振出人、番号、サインなどが記載されており、裏面６ｂには裏書き欄などが設けられている。小切手６は、上下方向を揃え、表面６ａがＵ形状の小切手搬送路７の外側を向くように、小切手供給部９に挿入される。
【００２０】
小切手搬送路７には、図１（ｂ）において点線で示すように、小切手６の表面画像を読み取るための表面側コンタクトイメージスキャナ２１、その裏面画像を読み取るための裏面側コンタクトイメージスキャナ２２、その磁気インク文字を読み取るための磁気ヘッド２３、その表面に「電子決済済み」などの印刷を行う印刷機構２４がこの順序に配置されている。
【００２１】
小切手供給部９から小切手送り出し通路８を介して送り出された小切手６は、小切手搬送路７に沿って搬送されながら、その表面画像および裏面画像が読み取られ、しかる後に、その表面６ａに印刷されている磁気インク文字列６Ａが読み取られる。これらの情報が正常に読み取られた小切手６は、「電子決済済み」などの印刷が行われた後に、第１収納ポケット１３に振り分けられて、そこに収納される。読取不能、読取異常などが発生した小切手６については、そのような印刷が行われることなく、第２収納ポケット１４に振り分けられて、そこに収納されるようになっている。
【００２２】
（分岐通路の分岐部構造）
図２は開閉カバー５を取り外した状態の小切手処理装置の斜視図である。小切手搬送路７の下流側部分は分岐部１８によって第１および第２分岐通路１１、１２に分岐させられている。分岐部１８は第１および第２分岐通路１１、１２の分岐位置Ａを頂点として左右の分岐方向に広がっている左右の分岐部側ガイド面１８ａ、１８ｂと、これら分岐部側ガイド面１８ａ、１８ｂの上端縁を繋ぐ分岐部上面１８ｃを備えている。分岐部側ガイド面１８ａによって片方の内壁面が規定されている第１分岐通路１１は小切手搬送路７の上流側から直線的に連続するようになっており、分岐部側ガイド面１８ｂによって片方の内壁面が規定されている第２分岐通路１２は第１分岐通路１１と９０度未満の角度で分岐するようになっている。本例ではこの角度が約３０度となっているが、９０度未満であればよく、３０度に限定されるものではない。
【００２３】
分岐位置Ａには、そこに送り込まれた小切手６を第１および第２分岐通路１１、１２のいずれか一方に振り分けるための分岐切換レバー１９が配置されている。分岐切換レバー１９は、第１および第２分岐通路１１、１２の分岐方向に向けて左右に広がっている左右のレバー側ガイド面１９ａ、１９ｂと、これらの上端縁を繋ぐ水平なレバー上面１９ｃを備えている。
【００２４】
図２に示す状態では、分岐切換レバー１９は第２分岐通路１２の上流端を封鎖しているので、小切手搬送路７の上流側から分岐位置Ａに送り込まれた小切手６は、レバー側ガイド面１９ａで案内されて第１分岐通路１１へ進入させられる。なお、分岐切換レバー１９は、分岐位置Ａの下方に配置されている切り換え機構２０によって、第１分岐通路１１の上流端を封鎖する状態に変位させられるようになっている。変位した状態では、分岐位置Ａに送り込まれた小切手６は、レバー側ガイド面１９ｂで案内されて、第２分岐通路１２へ進入させられる。
【００２５】
（分岐部上面）
図３（ａ）は分岐位置付近の主要な構成を示す平面図であり、図３（ｂ）は図３（ａ）のＩ−Ｉの線で切断したその断面図であり、図３（ｃ）は図３（ａ）のＩＩ−ＩＩの線で切断した断面図である。Ｉ−Ｉの線は、分岐位置を通過して分岐路上面を左右の分岐部側ガイド面の間の中央位置で切断する線であり、ＩＩ−ＩＩの線は、分岐部上面を各分岐通路の分岐方向に直交する方向で切断する線である。
【００２６】
分岐部１８の分岐部上面１８ｃは、レバー上面１９ｃから左右の分岐方向に向けて上方に傾斜していると共に、各分岐方向に直交する方向においても左右の分岐部側ガイド面１８ａ、１８ｂの上端縁から上方に傾斜するように形成されている。
【００２７】
図３（ａ）に示すように、分岐路上面１８ｃの平面形状は略三角形であり、分岐位置Ａを頂点として左右の分岐方向に広がっている左右の分岐部側ガイド面１８ａ、１８ｂによって規定される鋭角部分を備えている。分岐路上面１８ｃには鏡面加工が施されている。左右の分岐部側ガイド面１８ａ、１８ｂは、分岐切換レバー１９の左右のレバー側ガイド面１９ａ、１９ｂを分岐方向に延長した延長面Ｌ１、Ｌ２に対して内側に後退した位置になっている。
【００２８】
また、図３（ｂ）に示すように、分岐路上面１８ｃは、各分岐方向に向けて上側に傾斜するようになっている。さらに、図３（ｃ）に示すように、分岐部上面１８ｃの各分岐方向に直交する方向の断面形状は、各分岐方向に延びている分岐部側ガイド面１８ａ、１８ｂの上端縁の間に掛け渡した凸円弧面によって規定されている。
【００２９】
（分岐部構造の作用効果）
次に、図４は分岐部が分岐部上面を備えている分岐部構造による作用効果を示す説明図である。図４（ａ）は分岐部が分岐部上面を備えていない場合を示しており、図４（ｂ）は分岐部が分岐部上面を備えている場合を示している。
【００３０】
図４（ａ）に示すように分岐部１８の上面が平坦な水平面となっている場合には、小切手６が第２分岐通路１２へ進入しようとすると、小切手６の上側の折れ曲がっている部分６ｃは分岐部１８の先端に衝突してしまう。
【００３１】
これに対して、図４（ｂ）に示すように、分岐部１８が分岐部上面１８ｃを備える場合には、小切手６の上側の折れ曲がっている部分６ｃは分岐路上面１８ｃによって分岐部１８を乗り越えるように案内され、衝突が回避されている。
【００３２】
すなわち、分岐部上面１８ｃは、分岐方向（小切手搬送方向）、および、それに直交する方向において、共に上方に傾斜している。従って、送り込まれた小切手の折れ曲がっている部分６ｃは徐々に起こされ、分岐部１８を乗り越える。
【００３３】
さらに、分岐部上面１８ｃは鏡面加工されているので、小切手６の折れ曲がっている部分６ｃはスムーズに上方に案内されて、分岐部１８を乗り越える。
【００３４】
ここで、左右の分岐部側ガイド面１８ａ、１８ｂは、分岐切換レバー１９の左右のレバー側ガイド面１９ａ、１９ｂよりも後退しているので、レバー側ガイド面１９ａ、１９ｂによって案内された小切手６が分岐部側ガイド面１８ａ、１８ｂに衝突してしまうこともない。
【００３５】
また、小切手６が第１分岐通路１１に案内される際に小切手６の上側部分が第２分岐通路１２の側に撓んでいたとしても、同様に、撓んでいる部分は分岐部上面１８ｃで分岐部１８を乗り越えるように上方に案内されるので、小切手６が第１分岐通路１１に進入する際に、分岐部１８に衝突してジャミング状態になることも回避できる。
【００３６】
（その他の実施の形態）
上記の例では、分岐部上面１８ｃを各分岐通路１１、１２の分岐方向に直交する方向で切断した断面形状は凸円弧形状となっていたが、分岐部上面１８ｃは、分岐部１８側ガイド面１８ａ、１８ｂの上端縁から斜め上方に延びる平坦な傾斜面としてもよい。
【００３７】
また、上記の例では、小切手搬送路７は２つの分岐通路に分岐しているが、３つ以上の分岐通路に分岐している場合においても、その分岐通路の分岐部構造として上記の構造を採用することができる。
【００３８】
また、上記の例では、小切手６の折れ曲がっている部分６ｃを案内する３次元的な傾斜面を分岐部上面１８ｃとして分岐部１８に形成しているが、分岐切換レバー１９のレバー上面１９ｃを３次元的な案内面とすることもできる。
【００３９】
図５は分岐切換レバーのレバー上面を３次元的な案内面とした例を示しており、図５（ａ）は分岐路部分の斜視図であり、図５（ｂ）はその平面図であり、図５（ｃ）は分岐切換レバーおよび分岐部を側方からみた側面図である。
【００４０】
この場合には、レバー上面１９ｃは、左右の分岐方向に向けて上方に傾斜していると共に、各分岐方向に直交する方向においても左右のレバー側ガイド面１９ａ、１９ｂの上端縁から上方に傾斜するように構成することができる。すなわち、上述した分岐部上面１８ｃと同様の形状を備えるようにする。
【００４１】
また、分岐切換レバーのレバー上面を３次元的な案内面とする場合にも、図５（ｂ）に示すように、左右のレバー側ガイド面１９ａ、１９ｂを分岐方向に延長した延長面Ｌ３、Ｌ４に対して、左右の分岐部１８側ガイド面１９ａ、１９ｂは内側に後退した位置にしておけば、レバー側ガイド面１９ａ、１９ｂによって案内された小切手６が分岐部側ガイド面１８ａ、１８ｂに衝突してしまうことを回避できる。また、図５（ｃ）に示すように、レバー上面１９ｃを分岐方向に延長した延長面Ｌ５に対して、分岐部上面１８ｃの分岐切換レバー１９側の端縁部分１８ｅが下側に後退した位置するようにしておけば、レバー上面１９ｃによって案内された小切手６が分岐部上面１８ｃに衝突してしまうことを回避できる。
【図面の簡単な説明】
【００４２】
【図１】本実施の形態に係る小切手処理装置を示す斜視図である。
【図２】小切手処理装置の一方の開閉カバーを取り除いた状態を示す斜視図である。
【図３】分岐位置の主要な構成を示す平面図および断面図である。
【図４】上側部分が撓んだ小切手が第２分岐通路に案内される動作を示す説明図である。
【図５】本発明の分岐部構造の別の例を示す斜視図である。
【符号の説明】
【００４３】
１  小切手処理装置、２  本体ケース、３  垂直軸、４・５  開閉カバー、６  小切手、７  小切手搬送路、８  小切手送り出し通路、９  小切手供給部、１０  小切手収納部、１１  第１分岐通路、１２  第２分岐通路、１３  第１収納ポケット、１４  第２収納ポケット、１８  分岐部、１８ａ・１８ｂ  分岐部側ガイド面、１８ｃ  分岐部上面、１９  分岐切換レバー、１９ａ・１９ｂ  レバー側ガイド面、１９ｃ  レバー上面  ２０  切り換え機構、２１・２２  コンタクトイメージスキャナ、２３  磁気ヘッド、２４  印刷機構
【図１】
0004905276.tif 000002
【図２】
0004905276.tif 000003
【図３】
0004905276.tif 000004
【図４】
0004905276.tif 000005
【図５】
0004905276.tif 000006